(57)【要約】【課題】オーダメイドではなく、既製品を購入する場合であってもユーザの体型にあった最適サイズの商品を選択する。【解決手段】ユーザが商品を選択するための情報を示すためのユーザフィット率情報提供システムに、前記ユーザの体型に関する数値が個人身体情報として登録されている。メーカ名、商品名、当該商品の寸法情報及び当該商品を身につける際に考慮すべき部分が商品情報として登録されている。前記ユーザからフィット率情報の提供を希望する商品を受け付け、当該受け付けた商品についてのフィット率を前記個人身体情報及び前記商品情報を用いて算出する。【選択図】図１
2010277393.tif 000002
【特許請求の範囲】
【請求項１】
ユーザが商品を選択するための情報を示すためのユーザフィット率情報提供システムにおいて、
前記ユーザの体型に関する数値が個人身体情報として登録されている個人身体情報登録手段と、
メーカ名、商品名、当該商品の寸法情報及び当該商品を身につける際に考慮すべき部分が商品情報として登録されている製造メーカ商品情報登録手段と、
前記ユーザからフィット率情報の提供を希望する商品を受け付け、当該受け付けた商品についてのフィット率を前記個人身体情報及び前記商品情報を用いて算出するフィット率情報検索手段と、
を備えることを特徴とするユーザフィット率情報提供システム。
【請求項２】
請求項１に記載のユーザフィット率情報提供システムにおいて、
前記フィット率の前記算出は、前記商品を身につける際に考慮すべき部分についての前記個人身体情報と、前記商品の寸法情報と、を用いて行われることを特徴とするユーザフィット率情報提供システム。
【請求項３】
請求項１又は２に記載のユーザフィット率情報提供システムにおいて、
前記フィット率の前記算出は、前記メーカ名及び前記商品名を単位として行われることを特徴とするユーザフィット率情報提供システム。
【請求項４】
請求項１乃至３の何れか１項に記載のユーザフィット率情報提供システムにおいて、
前記個人身体情報登録手段に登録されている前記ユーザの体型に関する数値は、当該数値を測定するための専用装置を用いて行われていることを特徴とするユーザフィット率情報提供システム。
【請求項５】
請求項１乃至４の何れか１項に記載のユーザフィット率情報提供システムにおいて、前記フィット率は、前記商品を身につける際に考慮すべき部分についての前記個人身体情報と、前記商品の寸法情報との乖離度を数値化することで表したものであることを特徴とするユーザフィット率情報提供システム。
【請求項６】
ユーザが商品を選択するための情報を示すためのユーザフィット率情報提供方法において、
前記ユーザの体型に関する数値が個人身体情報として登録されている個人身体情報登録ステップと、
メーカ名、商品名、当該商品の寸法情報及び当該商品を身につける際に考慮すべき部分が商品情報として登録されている製造メーカ商品情報登録ステップと、
前記ユーザからフィット率情報の提供を希望する商品を受け付け、当該受け付けた商品についてのフィット率を前記個人身体情報及び前記商品情報を用いて算出するフィット率情報検索ステップと、
を備えることを特徴とするユーザフィット率情報提供方法。
【請求項７】
請求項６に記載のユーザフィット率情報提供方法において、
前記フィット率の前記算出は、前記商品を身につける際に考慮すべき部分についての前記個人身体情報と、前記商品の寸法情報と、を用いて行われることを特徴とするユーザフィット率情報提供方法。
【請求項８】
請求項６又は７に記載のユーザフィット率情報提供方法において、
前記フィット率の前記算出は、前記メーカ名及び前記商品名を単位として行われることを特徴とするユーザフィット率情報提供方法。
【請求項９】
請求項６乃至８の何れか１項に記載のユーザフィット率情報提供方法において、
前記個人身体情報登録ステップに登録されている前記ユーザの体型に関する数値は、当該数値を測定するための専用装置を用いて行われていることを特徴とするユーザフィット率情報提供方法。
【請求項１０】
請求項６乃至９の何れか１項に記載のユーザフィット率情報提供方法において、前記フィット率は、前記商品を身につける際に考慮すべき部分についての前記個人身体情報と、前記商品の寸法情報との乖離度を数値化することで表したものであることを特徴とするユーザフィット率情報提供方法。
【請求項１１】
ユーザが商品を選択するための情報を示すためのユーザフィット率情報提供プログラムにおいて、
前記ユーザの体型に関する数値が個人身体情報として登録されている個人身体情報登録手段と、
メーカ名、商品名、当該商品の寸法情報及び当該商品を身につける際に考慮すべき部分が商品情報として登録されている製造メーカ商品情報登録手段と、
前記ユーザからフィット率情報の提供を希望する商品を受け付け、当該受け付けた商品についてのフィット率を前記個人身体情報及び前記商品情報を用いて算出するフィット率情報検索手段と、
を備えるユーザフィット率情報提供システムとしてコンピュータを機能させることを特徴とするユーザフィット率情報提供プログラム。
【請求項１２】
請求項１１に記載のユーザフィット率情報提供プログラムにおいて、
前記フィット率の前記算出は、前記商品を身につける際に考慮すべき部分についての前記個人身体情報と、前記商品の寸法情報と、を用いて行われることを特徴とするユーザフィット率情報提供プログラム。
【請求項１３】
請求項１１又は１２に記載のユーザフィット率情報提供プログラムにおいて、
前記フィット率の前記算出は、前記メーカ名及び前記商品名を単位として行われることを特徴とするユーザフィット率情報提供プログラム。
【請求項１４】
請求項１１乃至１３の何れか１項に記載のユーザフィット率情報提供プログラムにおいて、
前記個人身体情報登録手段に登録されている前記ユーザの体型に関する数値は、当該数値を測定するための専用装置を用いて行われていることを特徴とするユーザフィット率情報提供プログラム。
【請求項１５】
請求項１１乃至１４の何れか１項に記載のユーザフィット率情報提供プログラムにおいて、前記フィット率は、前記商品を身につける際に考慮すべき部分についての前記個人身体情報と、前記商品の寸法情報との乖離度を数値化することで表したものであることを特徴とするユーザフィット率情報提供プログラム。
【発明の詳細な説明】
【技術分野】
【０００１】
本発明は商品情報の提供に関し、より詳細には、体型寸法情報を用いた商品情報の提供に関する。
【背景技術】
【０００２】
衣服や、靴、帽子といったものは、それを身につけるユーザの体型にあった最適サイズであることが好ましい。
【０００３】
この点、１００％最適なサイズを購入するにはユーザの体型を実測しながら行うオーダメイドシステムを用いる必要がある。具体的には、オーダメイドにて注文する場合はユーザが直接店舗に行き体型寸法を測定し、後日完成した商品を受け取りに行く。
【０００４】
このような、オーダメイドシステムの一例として、特許文献１に記載の技術がある。特許文献１に記載の技術では、客の全身、或いは身体の一部を計測して得られた身体の形状データをデータセンタのデータベースに管理し、客から商品あるいは、サービスの提供の注文があったときに、その商品あるいは、サービスの提供を行なう者は、データベースから客の身体の形状データを入手し、その身体の形状データをもとに作られた商品或いはサービスを客に提供する。
【先行技術文献】
【特許文献】
【０００５】
【特許文献１】特開２００２−１０９１９２号公報
【発明の概要】
【発明が解決しようとする課題】
【０００６】
もっとも、上述したようなオーダメイドシステムでは、一般的な既製品を購入するよりも単価が高くなりがちである。また、ユーザの体型を測定し、注文を受けてから商品を作成するので、商品が完成し、これを入手するまでに時間を要する。
【０００７】
そこで、本発明はオーダメイドではなく、既製品を購入する場合であってもユーザの体型にあった最適サイズの商品を選択することが可能なネットワークを介したユーザフィット率情報提供方法、そのシステム及びそのプログラムを提供することを目的とする。
【課題を解決するための手段】
【０００８】
本発明の第１の観点によれば、ユーザが商品を選択するための情報を示すためのユーザフィット率情報提供システムにおいて、前記ユーザの体型に関する数値が個人身体情報として登録されている個人身体情報登録手段と、メーカ名、商品名、当該商品の寸法情報及び当該商品を身につける際に考慮すべき部分が商品情報として登録されている製造メーカ商品情報登録手段と、前記ユーザからフィット率情報の提供を希望する商品を受け付け、当該受け付けた商品についてのフィット率を前記個人身体情報及び前記商品情報を用いて算出するフィット率情報検索手段と、を備えることを特徴とするユーザフィット率情報提供システムが提供される。
【０００９】
本発明の第２の観点によれば、ユーザが商品を選択するための情報を示すためのユーザフィット率情報提供方法において、前記ユーザの体型に関する数値が個人身体情報として登録されている個人身体情報登録ステップと、メーカ名、商品名、当該商品の寸法情報及び当該商品を身につける際に考慮すべき部分が商品情報として登録されている製造メーカ商品情報登録ステップと、前記ユーザからフィット率情報の提供を希望する商品を受け付け、当該受け付けた商品についてのフィット率を前記個人身体情報及び前記商品情報を用いて算出するフィット率情報検索ステップと、を備えることを特徴とするユーザフィット率情報提供方法が提供される。
【００１０】
本発明の第３の観点によれば、ユーザが商品を選択するための情報を示すためのユーザフィット率情報提供プログラムにおいて、前記ユーザの体型に関する数値が個人身体情報として登録されている個人身体情報登録手段と、メーカ名、商品名、当該商品の寸法情報及び当該商品を身につける際に考慮すべき部分が商品情報として登録されている製造メーカ商品情報登録手段と、前記ユーザからフィット率情報の提供を希望する商品を受け付け、当該受け付けた商品についてのフィット率を前記個人身体情報及び前記商品情報を用いて算出するフィット率情報検索手段と、を備えるユーザフィット率情報提供システムとしてコンピュータを機能させることを特徴とするユーザフィット率情報提供プログラムが提供される。
【発明の効果】
【００１１】
本発明によれば、ユーザはいつでもユーザの体型に最も適した製品についての情報をフィット率の数値情報と共に画面上で確認可能となる。これにより、これらの情報を参考にしてユーザ体型に最も適した製品を選択して購入することが可能となる。
【図面の簡単な説明】
【００１２】
【図１】本発明の実施形態の基本的構成を表す図である。
【図２】個人身体情報登録サーバ群及び製造メーカ製品情報登録サーバ群について示す図である。
【図３】本発明の実施形態の基本動作を表す図（１／２）である。
【図４】本発明の実施形態の基本動作を表す図（２／２）である。
【図５】フィット率情報提供希望製品指定画面の一例を示す図である。
【図６】フィット率情報提供画面の一例を示す図である。
【発明を実施するための形態】
【００１３】
まず、本発明の概略について説明する。本発明はインターネット上でユーザが身体情報をデータベースに一度登録することにより世界中に存在する全商品のフィット率の情報が提供され、それによりユーザは自分の体型に最適な商品を選択することが可能となるというものである。ここで、フィット率とは、「商品を身に付けた時にユーザの体型にどれほど適しているかを示す割合」を指すものとする。例えば、フィット率は個人の身体情報と、商品の寸法情報との乖離度を数値化することで表したものである。
【００１４】
次に、本発明の実施形態の構成について図面1を参照して詳細に説明する。
【００１５】
本実施形態はユーザ端末１０、個人身体情報登録サーバ、フィット率情報検索サーバ４０、製造メーカ製品情報登録サーバを有している。そして、それらはプログラムが制御すること、すなわちハードウェアとソフトウェアが協同することにより動作する。また、それらは、インターネット等のネットワーク１００を介して相互に接続されている。
【００１６】
図１には、個人身体情報登録サーバとして、第１の個人身体情報登録サーバ２０−１、第２の個人身体情報登録サーバ２０−２、第ｎの個人身体情報登録サーバ２０−ｎを図示する。また、製造メーカ製品情報登録サーバとして、第１の製造メーカ製品情報登録サーバ５０−１、第２の製造メーカ製品情報登録サーバ５０−２、第ｎの製造メーカ製品情報登録サーバ５０−ｎを図示する。なお、図１はあくまで例示であり、本実施形態の、個人身体情報登録サーバ及び製造メーカ製品情報登録サーバの台数を限定するものではない。これらサーバはｎ台（ｎは１から始まる任意の数）接続させることが可能である。
【００１７】
なお、以下の説明において、「個人身体情報登録サーバ群２００」と記述した場合は、第１の個人身体情報登録サーバ２０−１、第２の個人身体情報登録サーバ２０−２、第ｎの個人身体情報登録サーバ２０−ｎの何れかを指すものとする。また、同様に、「製造メーカ製品情報登録サーバ群５００」と記述した場合は、第１の製造メーカ製品情報登録サーバ５０−１、第２の製造メーカ製品情報登録サーバ５０−２、第ｎの製造メーカ製品情報登録サーバ５０−ｎの何れかを指すものとする。この点を図２に示す。なお、図２では個人身体情報測定装置３０の図示を省略する。
【００１８】
次に、端末、装置、サーバの構成について説明する。
【００１９】
ユーザ端末１０は、ユーザが直接用いる端末である。これは、本実施形態のための専用の端末であってもよいし、例えば携帯電話機やＰＤＡ、ＰＣ等の汎用の端末であってもよい。
【００２０】
ユーザ端末１０ではまず初めに個人身体情報登録サーバ群２００にネットワーク１００経由でアクセスしてＩＤ番号とパスワードの情報を登録することから始める。また既に個人身体情報登録サーバ群２００において登録完了されている場合はＩＤ番号から最新の個人身体情報を表示して確認する機能を備えている。
【００２１】
個人身体情報登録サーバ群２００には、それぞれ個人身体情報測定装置３０が接続されている。個人身体情報測定装置３０は、ユーザの全身体型データを測定するための専用の装置である。個人身体情報測定装置３０としては、例えば医療用のＭＲＩのように１０分程度の短時間で全身データの測定を行うことができる。
【００２２】
この点、専用の測定装置を用意するのではなく、測定ポイント（例えば１００箇所）を提示されたユーザが、例えば市販のメジャー等を使用して個別に測定を実施し、その結果を個人身体情報登録サーバ群２００に登録するようにしてもよい。
【００２３】
また、個人身体情報登録サーバ群２００は、ユーザが個人身体情報測定装置３０を使用して、若しくは、メジャー等を使用して、測定した全身体型データを記録する機能を備えている。
【００２４】
個人身体情報測定装置３０と個人身体情報登録サーバ群２００は社内ネットワークにて接続されている。そのため全身体型データは、測定完了時に自動で記録される。また、ユーザＩＤの登録時にはＩＤ番号作成機能とパスワード作成機能を有している。作成されたＩＤ番号とパスワードの情報をユーザ端末１０に送付する機能を有している。
【００２５】
なお、図１では全ての個人身体情報登録サーバ毎に個人身体情報測定装置３０が接続されているが、例えばネットワーク１００を介して個人身体情報測定装置３０が接続されるように構成してもよい。
【００２６】
フィット率検索サーバ４０はユーザがユーザ端末１０用いて情報提供希望する製品を指定すると、その製品についての情報を個人身体情報登録サーバ群２００にネットワーク１００経由でアクセスしてフィット率算出用の個人登録データを抽出する。その後各製造メーカ商品情報登録サーバにネットワーク１００経由でアクセスを行い個人情報登録サーバ群の抽出データと同一のフィット率数値の算出に必要なデータを検索する。
【００２７】
各社製造メーカ商品情報登録サーバ群５００には各製造メーカが商品の設計時に作成した図面の寸法情報が商品名ごとに詳細に登録されている。また、商品名ごとに、当該商品を身につける際に考慮すべき部分（例えば商品が靴であれば、踵から或る指のつま先までの長さ、足の甲の幅（最大値）、足の甲の高さ（最大値）等）が登録されている。最終的にユーザ端末１０上にユーザがフィット率情報提供を希望した製品についての情報がネットワーク１００経由で全件表示される。
【００２８】
［動作の説明］
次に図面３及び図４を参照して本実施形態の動作について詳細に説明する。
【００２９】
まず、図３を参照して説明する。初めにユーザ端末１０が、ユーザの操作を受け付ける。そして、ユーザ端末１０が、個人身体情報登録サーバ群２００にネットワーク１００経由でアクセスしてフィット率情報入手するためのユーザＩＤ情報登録依頼を行う（ステップＳ３０１）。
【００３０】
ユーザＩＤ情報登録依頼を受けた個人身体情報登録サーバ群２００は、ユーザ登録時にＩＤ番号とパスワードの作成を行い、それらの情報をユーザ端末１０に通知する(ステップＳ３０２）。
【００３１】
ユーザはユーザ端末１０上でＩＤ番号とパスワードを確認する。以降データをネットワーク１００経由で検索する時には、このＩＤ番号とパスワードを使用する（ステップＳ３０３）。
【００３２】
ユーザは登録時に指定された各都道府県に設置された営業所に行き個人身体情報測定装置３０を使用して全身体型データを測定する。測定データは身長、体重から頭部に始まり首回り、肩、胴回り、手や足先まで約１００箇所の部分を測定する（ステップＳ３０４−１）。
【００３３】
測定データは測定と同時にネットワーク経由で各営業所に設置された個人身体情報登録サーバ群２００に記録される(ステップＳ３０４−２）。
【００３４】
なお、ステップＳ３０４−１及びステップＳ３０４−２においては、上述したように測定ポイント（例えば１００箇所）を提示されたユーザが、例えば市販のメジャー等を使用して個別に測定を実施し、その結果を個人身体情報登録サーバ群２００に登録するようにしてもよい。
【００３５】
ステップＳ３０４−２における登録後は、ユーザ端末１０からネットワーク１００経由で個人身体情報登録サーバ群２００にアクセスすれば（ステップＳ３０５）、ユーザ身体測定情報を確認することが可能となっている（ステップＳ３０６）。
【００３６】
以降は、図４を参照して靴製品のフィット率を算出して情報を入手する例について説明する。
【００３７】
ユーザ端末１０からフィット率情報検索サーバ４０にネットワーク１００経由でアクセスしてＩＤとパスワードにてログインを行う。画面上にてユーザがフィット率の情報提供希望製品を指定して対象の項目（情報提供を希望している製品を指す項目）にチェックを入れ、フィット率情報検索サーバ４０は、このチェックを受け付ける（ステップＳ３０７）。なお、ステップＳ３０６においてユーザが参照する画面の一例を図５に示す。
【００３８】
ユーザがユーザ端末１０でチェックした情報がネットワーク１００経由でフィット率検索サーバ４０上にリンクされることによりフィット率情報提供希望製品が指定される（ステップＳ３０８）。
【００３９】
フィット率情報検索サーバ４０は個人身体情報登録サーバ群２００にネットワーク１００経由でアクセスする（ステップＳ３０９）。そして、データフィット率算出用に必要な個人登録データを抽出し取得する（ステップＳ３１０）。
【００４０】
抽出された個人登録データを元に製造メーカ製品情報登録サーバ群５００にネットワーク１００経由でアクセスする（ステップＳ３１１）。そして、フィット率算出に必要なデータを検索し、取得する（ステップＳ３１２）。
【００４１】
個人身体情報登録サーバ群２００に記録されているデータと製造メーカ製品情報登録サーバ群５００に登録されたデータを比較してフィット率データをメーカ名、商品名単位で算出し (ステップＳ３１３）、ユーザ端末１０に通知する(ステップＳ３１４）。
【００４２】
ユーザ端末１０上にユーザがフィット率情報提供を希望した製品についてはネットワーク１００経由で全件表示される。商品についての情報（メーカ、商品名、型式名、値段や各身体部分別や全体のフィット率）が詳細に表示される（ステップＳ３１５）。なお、ステップＳ３１５においてユーザが参照する画面の一例を図６に示す。
【００４３】
以上のように本実施形態により、ユーザはいつでもユーザの体型に最も適した製品についての情報をフィット率の数値情報と共に画面上で確認可能となる。これらの情報を参考にしてユーザ体型に最も適した製品を選択して購入することが可能となる。
【００４４】
また、上述した実施形態は、本発明の好適な実施形態ではあるが、上記実施形態のみに本発明の範囲を限定するものではなく、本発明の要旨を逸脱しない範囲において種々の変更を施した形態での実施が可能である。
【００４５】
なお、本発明の実施形態であるユーザ端末、個人身体情報登録サーバ、個人身体情報測定装置、フィット率情報検索サーバ及び製造メーカ製品情報登録サーバは、ハードウェアにより実現することもできるが、コンピュータをそのユーザ端末、個人身体情報登録サーバ、個人身体情報測定装置、フィット率情報検索サーバ及び製造メーカ製品情報登録サーバとして機能させるためのプログラムをコンピュータがコンピュータ読み取り可能な記録媒体から読み込んで実行することによっても実現することができる。
【００４６】
また、本発明の実施形態によるユーザフィット率情報提供方法は、ハードウェアにより実現することもできるが、コンピュータにその方法を実行させるためのプログラムをコンピュータがコンピュータ読み取り可能な記録媒体から読み込んで実行することによっても実現することができる。
【産業上の利用可能性】
【００４７】
本発明は、アパレル業界においてユーザが身に着ける物でどのような商品が自分に相応しいかフィット率という尺度の情報提供により判断して購入できるといった用途に適用できる。
【符号の説明】
【００４８】
１０  ユーザ端末
２０−１  第１の個人身体情報登録サーバ
２０−２  第２の個人身体情報登録サーバ
２０−ｎ  第ｎの個人身体情報登録サーバ
３０  個人身体情報測定装置
４０  フィット率情報検索サーバ
５０−１  第１の製造メーカ製品情報登録サーバ
５０−２  第２の製造メーカ製品情報登録サーバ
５０−ｎ  第ｎの製造メーカ製品情報登録サーバ
１００  ネットワーク
２００  個人身体情報登録サーバ群
５００  製造メーカ製品情報登録サーバ群
【図１】
2010277393.tif 000003
【図２】
2010277393.tif 000004
【図３】
2010277393.tif 000005
【図４】
2010277393.tif 000006
【図５】
2010277393.tif 000007
【図６】
2010277393.tif 000008